(57)【要約】 【課題】何らかの状況によってコードに引っ張り力が加わったとしても、内側シェルが外側接続スリーブに対して移動することがなく、プラグ側のガスケットとレセプタクル側のシェル先端縁との弾圧圧接が解かれることなく、防水機能が確実に維持できる、新規な同軸コネクタを提供する【解決手段】プラグ１とレセプタクル２とがバヨネットロック式に着脱自在に結合される同軸コネクタであって、プラグ１を構成する円筒状の外側接続スリーブ４に円筒状の内側シェル５を後方から挿入配置してあり、内側シェル５が外側接続スリーブ４に対して後方に移動しないように構成してあり、プラグ１の円筒状の外側接続スリーブ４と円筒状の内側シェル５とのそれぞれに、外側接続スリーブ４には内向きの段差部１０を設け、内側シェル５には外向きの段差部１３を設け、これら段差部によって形成された空間部１６内にガスケット１７のみを設け、このガスケット１７にレセプタクル２のシェル先端縁を弾圧圧接してなるものである。【選択図】図４
2009123591.tif 000002
【特許請求の範囲】
【請求項１】
プラグとレセプタクルとがバヨネットロック式に着脱自在に結合される同軸コネクタであって、プラグを構成する円筒状の外側接続スリーブに円筒状の内側シェルを後方から挿入配置してあり、内側シェルが外側接続スリーブに対して後方に移動しないように構成してあり、プラグの円筒状の外側接続スリーブと円筒状の内側シェルとのそれぞれに、外側接続スリーブには内向きの段差部を設け、内側シェルには外向きの段差部を設け、これら段差部によって形成された空間部内にガスケットのみを設け、このガスケットにレセプタクルのシェル先端縁を弾圧圧接してなる同軸コネクタ。
【発明の詳細な説明】
【技術分野】
【０００１】
本発明は、防水形同軸コネクタに関し、バヨネットロック式同軸コネクタであるＪＩＳ及びＭＩＬ規格品のＢＮＣコネクタであって、プラグの対のレセプタクルとの関係で、従来のレセプタクルとの組合せも満足し得る同軸コネクタに関する。
【背景技術】
【０００２】
プラグとレセプタクルがバヨネットロック式に着脱自在に結合される同軸コネクタであって、そのプラグの構造が、円筒状の外側接続スリーブと円筒状の内側シェルとのそれぞれに、外側接続スリーブには内向きの段差部を設け、内側シェルには外向きの段差部を設け、これら段差部によって形成された空間部内にレセプタクルのシェル先端縁に弾圧圧接されるガスケットとバネ座金を介在させた同軸コネクタが公知である。
【発明の開示】
【発明が解決しようとする課題】
【０００３】
上記公知の同軸コネクタは、プラグとレセプタクルの結合状態でプラグ内のガスケットとレセプタクルのシェル先端縁との弾圧圧接で充分に防水機能が発揮されて効果的である。しかし、プラグの外側接続スリーブと内側シェルとの間にバネ座金が設けられているから、プラグに接続されるコードを何らかの状態で引っ張ると該バネ座金の収縮により、内側シェルがコード側後方に移動してプラグ内のガスケットとレセプタクルのシェル先端縁の弾圧圧接が解除され、防水機能が解かれてしまうおそれがあるという課題がある。
本発明は、上記課題に鑑み、何らかの状況によってコードに引っ張り力が加わったとしても、内側シェルが外側接続スリーブに対して移動することがなく、プラグ側のガスケットとレセプタクル側のシェル先端縁との弾圧圧接が解かれることなく、防水機能が確実に維持できる、新規な同軸コネクタを提供するものである。
【課題を解決するための手段】
【０００４】
そのために、本発明同軸コネクタは、プラグとレセプタクルとがバヨネットロック式に着脱自在に結合される同軸コネクタであって、プラグを構成する円筒状の外側接続スリーブに円筒状の内側シェルを後方から挿入配置してあり、内側シェルが外側接続スリーブに対して後方に移動しないように構成してあり、プラグの円筒状の外側接続スリーブと円筒状の内側シェルとのそれぞれに、外側接続スリーブには内向きの段差部を設け、内側シェルには外向きの段差部を設け、これら段差部によって形成された空間部内にガスケットのみを設け、このガスケットにレセプタクルのシェル先端縁を弾圧圧接してなるものである。
【発明の効果】
【０００５】
本発明同軸コネクタは、プラグとレセプタクルとがバヨネットロック式に着脱自在に結合される同軸コネクタであって、プラグを構成する円筒状の外側接続スリーブに円筒状の内側シェルを後方から挿入配置してあり、内側シェルが外側接続スリーブに対して後方に移動しないように構成してあり、プラグの円筒状の外側接続スリーブと円筒状の内側シェルとのそれぞれに、外側接続スリーブには内向きの段差部を設け、内側シェルには外向きの段差部を設け、これら段差部によって形成された空間内にガスケットのみを設け、このガスケットにレセプタクルのシェル先端縁を弾圧圧接してなるものであるから、万一コードが後方に引っ張られたとしても、内側シェルが外側接続スリーブに対して移動することなく、プラグ側のガスケットとレセプタクル側のシェル先端縁との弾圧圧接が解かれることなく、防水機能が確実に維持できる効果がある。
【発明を実施するための最良の形態】
【０００６】
図面に示した好ましい実施例により本発明の詳細を説明する。
図１に本発明同軸コネクタを構成するプラグ１とレセプタクル２を分離して示してあり、レセプタクル２の円筒状シェル３をプラグ１の円筒状の外側接続スリーブ４と円筒状の内側シェル５との間に挿入し、レセプタクル２を９０度回動して円筒状シェル３の外向きに設けた一対の突起６をプラグ１の外側接続スリーブ４に形成した一対の傾斜長孔７に介入させてバヨネットロック式に結合するようにしてある。そのために、外側接続スリーブ４の開放端側リング８の内側に上記傾斜長孔７に接続する対称の一対のキー溝９を設けてあり、レセプタクルの円筒状シェル３の突起６を該キー溝９に介入して９０度回動して結合するようにしてある。
上記外側接続スリーブ４には、その中間位置に内向きの段差部１０を設け、されに、この外側接続スリーブ４の後端近傍位置に僅かな内向きの段差部１１を設けてある。
【０００７】
一方、内側シェル５は、その前部を薄肉のシェル構造５ａにしてあり、その円周方向等間隔に縦スリット１２を形成してあり、後方を無垢の円筒状の内側シェル本体５ｂにしてあり、この内側シェル５を外側接続スリーブ４に後方から挿入して、該内側シェル本体５ｂが外側接続スリーブ４内に密接嵌合するようにしてある。この内側シェル５には、その薄肉構造５ａと内側シェル本体５ｂの境界部に外向きの段差部１３を設け、この段差部１３の後方にも、上記外側接続スリーブ４の後端近傍位置の僅かな内向きの段差部１１に対応する位置に外向きの段差部１４を設けてある。
内側シェル５を外側接続スリーブ４に後方から挿入して該内側シェル本体５ｂが外側スリーブ４内に密接嵌合状態で、該外側接続スリーブ４の後端近傍位置に設けた僅かな内向き段差部位置に座金１５を固設し、この座金１５に内側シェル５の外向き段差部１４が係合し、内側シェル５の後方への移動を阻止するようにしてある。
【０００８】
上記内側シェル５が外側接続スリーブ４内に挿入嵌合された状態で、外側接続スリーブ４の内向きの段差部１０と内側シェル５の外向きの段差部１３によって空間部１６が形成され、この空間部１６内に厚みのあるガスケット１７のみを設けてある。このガスケット１７によって弾圧と防水性を持たせる。このガスケット１７は具体的にはシリコンゴムで硬度６０度前後のものが好ましい。
このプラグ１の中心に中心コンタクト１８を設け、上記内側シェル５とこの中心コンタクト１８との間に絶縁体１９を設けてある。この他図中２０は内側シェル５の後端の外側に設けた外側シェルで、この外側シェル２０の内側にあって内側シェル５との間にＯリング２１を設けてある。
【０００９】
レセプタクル２は、図３に示す通り、プラグ１と係合するために円筒状シェル３を有し、外側にバヨネットロックのための突起６，６を有し、中間位置外側に鍔部２２を有する。このレセプタクル２は、上記鍔部２２より前方をシェル状にして円筒状シェル３とし、鍔部２２より後方は中心孔２３を除いて無垢構造にしてある。レセプタクル２の中心に中心コンタクト２４を設けてあり、この中心コンタクト２４と円筒状シェル３との間に絶縁体２５を介入し圧入リング２６を円筒状シェル３と絶縁体２５との間に圧入し、絶縁体２５を嵌入固定してある。
【００１０】
レセプタクル２をプラグ１に着脱自在に結合するが、その結合状態を図４に示してある。レセプタクル２をプラグ１に結合するには、レセプタクル２の円筒状シェル３をプラグ１の先方から外側接続スリーブ４と内側シェル５との間の隙間に挿入し、突起６をプラグ１の先端のキー溝９に合わせて差し込み、レセプタクル２を９０度回同すると突起６が傾斜長孔７に案内され、傾斜長孔７の最終端の係合端に係合し、レセプタクル２の円筒状シェル３の先端縁が上記ガスケット１７を弾圧し、防水機能を発揮する。この状態でプラグ１の中心コンタクト１８とレセプタクル２の中心コンタクト２４が結合する。
逆にレセプタクル２をプラグ１から離脱する際には、レセプタクル２の上記９０度の回動と反対方向に９０度回動すると、レセプタクル２の突起６がプラグ１の傾斜長孔７を逆向きに移動し、突起６がプラグ１の開放端側リング８のキー溝９位置に到り、レセプタクル２をプラグ１から抜き出すことができる。
【図面の簡単な説明】
【００１１】
【図１】本発明同軸コネクタをそのプラグとレセプタクルを分離して示す斜視図。
【図２】プラグの半断面図。
【図３】レセプタクルの半断面図。
【図４】プラグとレセプタクルの結合状態を示す半断面図。
【符号の説明】
【００１２】
１  プラグ
２  レセプタクル
３  円筒状シェル
４  外側接続スリーブ
５  内側シェル
６  突起
７  傾斜長孔
８  開放端側リング
９  キー溝
１０  内向きの段差部
１１  僅かな内向きの段差部
１２  縦スリット
１３  外向きの段差部
１４  外向きの段差部
１５  座金
１６  空間部
１７  ガスケット
１８  中心コンタクト
１９  絶縁体
２０  外側シェル
２１  Ｏリング
２２  鍔部
２３  中心孔
２４  中心コンタクト
２５  絶縁体
２６  圧入リング
【図１】
2009123591.tif 000003
【図２】
2009123591.tif 000004
【図３】
2009123591.tif 000005
【図４】
2009123591.tif 000006